(57)【特許請求の範囲】
【請求項１】
発泡用ノズルと、基端開口側に配置される前記発泡用ノズルの軸心を包囲するように設けられた筒状の流路筒と、前記流路筒の先端開口を塞ぐ発泡用網と、を備えた発泡機を天井面に設置する高膨張泡消火設備であって、
前記発泡用ノズルを、泡水溶液配管に充水された泡水溶液の放出を常時は閉止し、火災時に放出する閉鎖型のノズルとし、
前記流路筒を伸縮体で構成すると共に、前記天井面に固定される固定金具と、一端が前記伸縮体の先端側に取付けられ、他端が前記固定金具に低融点合金で取付けられて、前記伸縮体を短縮状態に保持する感熱板とを備え、
火災時に前記低融点合金が溶融して前記伸縮体が自動的に伸長する
ことを特徴とする高膨張泡消火設備。
【請求項２】
前記低融点合金が溶融する温度は、前記閉鎖型のノズルの作動温度よりも低く、
火災時は、前記伸縮体が自動的に伸長した後に、前記閉鎖型のノズルが開放して、前記泡水溶液が放出される
ことを特徴する請求項１記載の高膨張泡消火設備。
【請求項３】
前記発泡機は、前記発泡用ノズルに対応して、空気流入口を形成し、
前記空気流入口は、前記流路筒の基端開口側に開口部を設けて、前記流路筒の基端開口を前記天井面に固定することにより形成される
ことを特徴とする請求項１または２記載の高膨張泡消火設備。
【請求項４】
前記発泡機は、前記発泡用ノズルに対応して、空気流入口を形成し、
前記空気流入口は、前記流路筒の基端開口を、前記天井面から離間することにより形成される
ことを特徴とする請求項１または２記載の高膨張泡消火設備。
【請求項５】
前記発泡機は、前記発泡用ノズルに対応して、空気流入口を形成し、
前記空気流入口は、線状体を介して、前記流路筒を前記天井面に固定することにより形成される
ことを特徴とする請求項１または２記載の高膨張泡消火設備。
【発明の詳細な説明】
【技術分野】
【０００１】
この発明は、高膨張泡消火設備に係り、特に、起動を火災発生から自動で行うようにした高膨張泡消火設備に関する。
【背景技術】
【０００２】
従来の高膨張泡消火設備の発泡機は、倉庫等の天井面や壁面などに設置され、筒状の流路筒としての本体１０１と本体１０１の先端側開口を塞ぐ発泡用網１０４とを備え、本体１０１の基端側開口付近には泡水溶液配管に接続された開放型の発泡用ノズルＮが配置されている。高膨張泡消火設備は、火災感知器の火災信号または手動で設備が起動されることによって、泡水溶液配管に泡水溶液が送水され、発泡用ノズルから発泡用綱１０４に向かって泡水溶液が放出される。泡水溶液の放出によって、流路筒の基端側開口から大量の空気が取り込まれ、泡水溶液が発泡用網１０４に衝突して泡を生成するときに、この取り込まれた空気を取り込むことによって、高発泡な泡が所定量生成され放出される。そして、火源を泡で埋め尽くし、窒息消火させている（例えば、特許文献１参照）。
【０００３】
【特許文献１】特開２００７−１９０１６７号公報（段落０００９〜００１３、図１、図２）
【発明の開示】
【発明が解決しようとする課題】
【０００４】
しかしながら、従来の高膨張泡消火設備の発泡機の発泡用ノズルは開放型であり、泡水溶液を放出するためには、感知器発報または手動により設備を起動する必要があるが、感知器発報による起動の場合は誤報や断線等による信頼性に欠け、また、手動起動の場合は人による起動ミス、起動遅れが懸念されるという問題があった。
【０００５】
また、所定量の高膨張泡を生成する（一般的には、例えば、発泡倍率約５００倍）ためには大量の空気を取り込む必要があるが、そのためには発泡用ノズルによる泡水溶液の放出速度の初速を速くする必要がある。一方、発泡用網への衝突速度は遅くしないと所定の発泡倍率を得ることができない。そのため、発泡機はある程度の吸引長さ、すなわち筐体の長さが必要である。そして、倉庫などの天井面等に設けている場合、その分建物の内部か外部に突出するため、建物の美観を損なうという問題があった。
この問題点を解決するため、上記の公報では、流路筒としての本体１０１の一部を伸縮体１０５で構成し、ダンパー等の伸縮装置１０６によって、伸縮体１０５を常時は短縮し、必要なときには電気またはガスの圧力で伸長させるようにしている。
しかし、伸縮体１０５は電気またはガスの圧力で伸長させる必要があり、その回路などが故障した場合は、火災時に起動できないという問題があった。
【０００６】
この発明は上述のような課題を解決するためになされたもので、倉庫、格納庫等に設置されている高膨張泡消火設備において、起動を火災発生から自動で行うこと、より好ましくは、火災発生から全て自動で行い、さらには、美観を損なわないように設置することができる高膨張泡消火設備を提供することを目的とする。
【課題を解決するための手段】
【０００７】
この発明に係る高膨張泡消火設備は、発泡用ノズルと、基端開口側に配置される前記発泡用ノズルの軸心を包囲するように設けられた筒状の流路筒と、前記流路筒の先端開口を塞ぐ発泡用網と、を備えた発泡機を天井面に設置する高膨張泡消火設備であって、前記発泡用ノズルを、泡水溶液配管に充水された泡水溶液の放出を常時は閉止し、火災時に放出する閉鎖型のノズルとし、前記流路筒を伸縮体で構成すると共に、前記天井面に固定される固定金具と、一端が前記伸縮体の先端側に取付けられ、他端が前記固定金具に低融点合金で取付けられて、前記伸縮体を短縮状態に保持する感熱板とを備え、火災時に前記低融点合金が溶融して前記伸縮体が自動的に伸長するものである。
【０００８】
また、前記低融点合金が溶融する温度は、前記閉鎖型のノズルの作動温度よりも低く、火災時は、前記伸縮体が自動的に伸長した後に、前記閉鎖型のノズルが開放して、前記泡水溶液が放出される。
【０００９】
また、前記発泡機は、前記発泡用ノズルに対応して、空気流入口を形成し、前記空気流入口は、前記流路筒の基端開口側に開口部を設けて、前記流路筒の基端開口を前記天井面に固定することにより形成されるものである。
【００１０】
また、前記発泡機は、前記発泡用ノズルに対応して、空気流入口を形成し、前記空気流入口は、前記流路筒の基端開口を、前記天井面から離間することにより形成されるものである。
【００１１】
また、前記発泡機は、前記発泡用ノズルに対応して、空気流入口を形成し、前記空気流入口は、線状体を介して、前記流路筒を前記天井面に固定することにより形成される。
【発明の効果】
【００１２】
この発明によれば、発泡用ノズルと、基端開口側に配置される前記発泡用ノズルの軸心を包囲するように設けられた筒状の流路筒と、前記流路筒の先端開口を塞ぐ発泡用網と、を備えた発泡機を設置面に設置する高膨張泡消火設備であって、前記発泡用ノズルを、泡水溶液配管に充水された泡水溶液の放出を常時は閉止し、火災時に放出する閉鎖型のノズルとしたので、火災時に、発泡用ノズルからの泡水溶液の継続的な放出が行われるので、高膨張泡が継続的に放出されて、倉庫、格納庫等に設置されている高膨張泡消火設備の起動を火災発生から自動で行うことができる。また、前記流路筒を伸縮体で構成すると共に、前記天井面に固定される固定金具と、一端が前記伸縮体の先端側に取付けられ、他端が前記固定金具に低融点合金で取付けられて、前記伸縮体を短縮状態に保持する感熱板とを備え、火災時に前記低融点合金が溶融して前記伸縮体が自動的に伸長するもので、火災の熱によって、伸縮体の伸長および発泡用ノズルからの泡水溶液の継続的な放出が行われるので、設備の起動を火災発生から自動で行うことができる。そして、美観を損なわないように設置することができる。
【００１３】
また、発泡機は、発泡用ノズルに対応して、空気流入口を形成したので、閉鎖型の発泡用ノズルが火災熱を受熱して、その放水口を開放することができ、また、これによって、泡水溶液が放出されるときに、流路筒内に空気を導入することができる。また、一部も屋外に突出させない構造としながらも、室内の空気を取り込んで、高膨張泡を生成することができる。
【００１４】
また、空気流入口は、流路筒の基端開口側に開口部を設けて、流路筒の基端開口を設置面に固定することにより形成されるので、または、空気流入口は、流路筒の基端開口を、設置面から離間することにより形成されるので、簡単な構成により、閉鎖型の発泡用ノズルが火災熱を受熱でき、また、これによって、泡水溶液が放出されるときに、流路筒内に空気を導入することができる。また、一部も屋外に突出させない構造としながらも、室内の空気を取り込んで、高膨張泡を生成することができる。
【発明を実施するための最良の形態】
【００１６】
実施の形態１．
図１はこの発明の実施形態１を示す高膨張泡消火設備の平常時の状態を示す断面構成図、図２は高膨張泡消火設備の火災時の状態を示す断面構成図、図３は高膨張泡消火設備のノズルの断面図である。
【００１７】
図１、２において、高膨張泡消火設備は、火災の発生時に高膨張泡の放出を行う発泡機１と、泡水溶液が加圧されて充填されているタンク２と、発泡機１とタンク２とを接続する泡水溶液配管３から構成される。また、泡水溶液は、界面活性剤等が用いられる。
【００１８】
発泡機１は、室内の天井面Ｒに配設された閉鎖型の発泡用ノズル４と、基端開口５ａと先端開口５ｂを有し、基端開口５ａ側に配置される発泡用ノズル４の軸心を包囲するように設けられ、筒状の流路筒であり横断面矩形状の伸縮体５と、伸縮体５の基端開口５ａ側の発泡用ノズル４に対応した位置（図２）の４面に開口部８を設けて、伸縮体５の基端開口５ａの少なくとも対向する一対の縁辺部５ｃを設置面である天井面Ｒに固定することにより、基端開口５ａを塞ぐことにより形成される空気流入口９と、伸縮体５の先端開口５ｂを塞ぐ発泡用網６と、天井面Ｒにネジ７等で固定される平板状の固定金具１１と、平常時には図１に示すように、一端の水平固定部１２ａが固定金具１１に低融点合金１０で取付けられ、他端の垂直取付部１２ｄが伸縮体の先端開口５ｂの少なくとも対向する一対の縁辺部５ｄに取付けられて、伸縮体５を短縮状態に保持する熱伝導のよい感熱板１２とから構成される。
【００１９】
また、伸縮体５は耐熱性シート等をジャバラ状に形成したもので、感熱板１２は断面略２段Ｌ字形状であり、水平固定部１２ａと垂直取付部１２ｄの間に垂直部１２ｂと、水平部１２ｃと、が設けられている。また、低融点合金１０は、例えば、融点が５８℃の半田が用いられる。
なお、空気流入口９を形成する開口部８の下端部は、図２に示す伸縮体５の伸長時に、発泡用ノズル４の先端（下端部）の同じ位の位置になるように設定されている。この設定位置は、伸縮体５の伸長時に、発泡用ノズル４が火災の熱を受けやすく、かつ、発泡用ノズル４による泡水溶液の設計放出範囲に影響を与えないように、発泡用ノズル４の前面側からは空気を取り込まないようにした最適な位置である。
【００２０】
図３において、閉鎖型の発泡用ノズル４は、本体１３と、本体１３の上端のネジ１４及び角形のネジ頭部１５からなり、泡水溶液配管３に接続される取付部１６、左右のアーム部１７及び支承部１８からなるフレーム１９、放水口２１、支承部１８に設けられたネジ孔２０、放水弁２２、パッキン２３、放水弁２２と押しネジ２４の間に介装され放水口２１の閉塞状態を保持するグラスバルブ２５から構成される。グラスバルブ２５は硬質ガラス管で構成され、熱膨脹率の高い液体が小気泡を残して封入されており、作動温度が、例えば、７２℃である。
【００２１】
以上の構成によって、発泡用ノズル４は、後述するように、７２℃になるとグラスバルブ２５が破壊されて放水口２１が開放されることによって、発泡用網６に向けて略円錐状に泡水溶液を放出することができるが、例えば、図示の通り、複数の放射状のスリット２６ａを有する円錐形状のデフレクタ２６を支承部１８の下部に取り付けるようにして、泡水溶液の略円錐状の放出形状を規定してもよい。
【００２２】
次に、この発明の実施形態１を示す高膨張泡消火設備の動作について説明する。
平常時には、図１に示すように、伸縮体５は先端開口５ｂが固定金具１１に低融点合金１０で取付けられた感熱板１２に保持されて短縮状態になっている。また、タンク２から供給された泡水溶液が泡水溶液配管３に充水加圧されている。
また、発泡機１の発泡用ノズル４は、押しネジ２４とグラスバルブ２５に支承された放水弁２２により、泡水溶液配管３に連通した放水口２１は閉塞状態に保持されている。
【００２３】
そして、火災が発生すると、火災の発生による熱気流が天井に向かって吹き上げられ、感熱板１２の温度が上昇する。そして、５８℃になると、低融点合金１０が融解して感熱板１２が固定金具１１から外れて図２に示すように伸縮体５が自動的に伸長する。また、発泡用ノズル４のグラスバルブ２５が、７２℃になるとグラスバルブ２５内に封入された液体が熱膨張し、硬質ガラスが破壊されて飛散する。このとき、グラスバルブ２５に支持されていた放水弁２２が抜け落ちて、閉塞状態に保持されていた放水口２１が開放され、泡水溶液配管３に充水加圧されていた泡水溶液が放出される。このとき、空気流入口９から空気が流入し、泡水溶液と空気が混合して発泡用網６に衝突し、多量の高膨張泡が生成され、この高膨張泡が放射される。そして、放射された高膨張泡が火源を覆い火災が消火される。
【００２４】
以上のように、発泡用ノズル４と、基端開口側に配置される発泡用ノズル４の軸心を包囲するように設けられた筒状の流路筒と、流路筒の先端開口を塞ぐ発泡用網６と、を備えた発泡機１を設置面に設置する高膨張泡消火設備であって、発泡用ノズル４を、泡水溶液配管３に充水された泡水溶液の放出を常時は閉止し、火災時に放出する閉鎖型の発泡用ノズル４としたので、火災時に、発泡用ノズル４からの泡水溶液の継続的な放出が行われるので、高膨張泡が継続的に放出されて、倉庫、格納庫等に設置されている高膨張泡消火設備の起動を火災発生から自動で行うことができる。
【００２５】
また、発泡機１は、発泡用ノズル４に対応して、空気流入口を形成したので、閉鎖型の発泡用ノズル４が火災熱を受熱して、その放水口２１を開放することができ、また、これによって、泡水溶液が放出されるときに、流路筒内に空気を導入することができる。また、一部も屋外に突出させない構造としながらも、室内の空気を取り込んで、高膨張泡を生成することができる。
【００２６】
また、空気流入口は、流路筒の基端開口側に開口部を設けて、流路筒の基端開口を設置面に固定することにより形成されるので、簡単な構成により、閉鎖型の発泡用ノズルが火災熱を受熱でき、また、これによって、泡水溶液が放出されるときに、流路筒内に空気を導入することができる。また、一部も屋外に突出させない構造としながらも、室内の空気を取り込んで、高膨張泡を生成することができる。
【００２７】
また、流路筒を伸縮体５で構成すると共に、設置面としての天井面Ｒに固定される固定金具１１と、一端が伸縮体５の先端側に取付けられ、他端が固定金具１１に低融点合金１０で取付けられて、伸縮体５を短縮状態に保持する感熱板１２と、を備えたので、火災の熱によって、伸縮体５の伸長および発泡用ノズル４からの泡水溶液の継続的な放出が行われるので、設備の起動を火災発生から自動で行うことができる。そして、美観を損なわないように設置することができる。
【００２８】
また、この発明の高膨張泡消火設備は、一部も屋外に突出させない構造としており、また、泡水溶液は、タンク２に充填されているので、パッケージ型高膨張泡消火設備として工事も簡単にできて設置しやすい。
【００２９】
なお、本実施の形態では発泡機１を伸縮させる構成としたが、伸縮させない構成とした場合は、設置面は天井面Ｒに限らず壁面Ｗでもよい。
【００３０】
実施の形態２．                                                                  
実施の形態１では、伸縮体の基端開口側に開口部を設け、伸縮体の基端開口を設置面である天井面に固定することにより、基端開口を塞ぐことにより空気流入口を形成したが、本実施の形態は、伸縮体の基端開口を、固定金具に固定して、天井面から離間させて伸縮体の基端開口と天井面間に空気流入口を形成したものである。
【００３１】
図４はこの発明の実施形態２を示す高膨張泡消火設備の平常時の状態を示す断面構成図、図５は高膨張泡消火設備の火災時の状態を示す断面構成図、図６は高膨張泡消火設備の火災時の状態を示す上面図である。
図４〜図６において、実施の形態１の図１と同一または相当部分には同一の符号を付し説明を省略する。
【００３２】
伸縮体３５は、基端開口３５ａと先端開口３５ｂを有し、実施の形態１の伸縮体５の基端開口５ａ側に設けられた４面の開口部８は設けられていない。
固定金具３１は段付き板状をなし、天井面Ｒに固定される水平固定部３１ａと、水平固定部３１ａの内側端部から垂直に形成された垂直部３１ｂと、垂直部３１ｂの下端部から内側方向に水平に形成され、伸縮体３５の基端開口３５ａの少なくとも対向する一対の縁辺部３５ｃを取り付ける水平取付部３１ｃと、からなる。
固定金具３１の水平固定部３１ａを天井面Ｒに固定すると垂直部３１ｂにより、水平取付部３１ｃは天井面Ｒから離間した位置にあるので、伸縮体３５の基端開口３５ａは天井面Ｒから離間して設けられることにより、天井面Ｒと伸縮体３５の基端開口３５ａとの間に間隙が形成され、この部分が空気流入口３３となる。      
固定金具３１の垂直部３１ｂの高さは、水平取付部３１ｃが発泡用ノズル４の先端と同じ位の位置になるように定める。
【００３３】
感熱板３２は、断面略２段Ｌ字形状であり、水平固定部３２ａと、水平固定部３２ａの内側方向の端部から垂直に形成された垂直部３２ｂと、垂直部３２ｂの下端部から内側方向に水平に形成された水平部３２ｃと、水平部３２ｃから垂直に形成され伸縮体３５の先端開口３５ｂを取り付ける垂直取付部３２ｄと、からなる。
【００３４】
また、平常時は、図４に示すように、感熱板３２の水平固定部３２ａを固定金具３１の水平固定部３１ａに低融点合金１０で取付け、垂直取付部３２ｄを伸縮体の先端開口３５ｂの少なくとも対向する一対の縁辺部３５ｃに取付けられて、伸縮体３５を短縮状態に保持する。
【００３５】
次に、この発明の実施形態２を示す高膨張泡消火設備の動作を説明する。
平常時は、感熱板３２の水平固定部３２ａを固定金具３１の水平固定部３１ａに低融点合金１０で取付け、垂直取付部３２ｄに伸縮体３５の先端開口３５ｂの対向する少なくとも一対の縁辺部３５ｄが取付けられて、伸縮体３５を短縮状態に保持する。
図４に示すように、固定金具３１の水平取付部３１ｃに伸縮体３５が取り付けられると、天井面Ｒと伸縮体３５の基端開口３５ａとの間には空気流入口３３が形成される。この空気流入口３３は火災時も大きさは変わらない。
【００３６】
そして、火災が発生すると、火災の発生による熱で、感熱板３２の温度が上昇する。そして、低融点合金１０が融解して感熱板３２が固定金具３１から外れて図５に示すように伸縮体５が自動的に伸長する。また、発泡用ノズル４のグラスバルブ２５が、熱により破断して放水口２１が開放され、泡水溶液配管３に充水加圧されていた泡水溶液が放出される。このとき、空気流入口３３から空気が流入し、泡水溶液と空気が混合して発泡用網６で多量の高膨張泡が生成され、この高膨張泡が放射される。そして、放射された高膨張泡が火源を覆い火災が消火される。
【００３７】
以上のように、本実施の形態は、伸縮体３５の基端開口３５ａを、固定金具３１に固定して、天井面Ｒから離間させて伸縮体３５の基端開口３５ａと天井面Ｒ間に空気流入口３３を形成したので、簡単な構成により、閉鎖型の発泡用ノズルが火災熱を受熱でき、また、これによって、泡水溶液が放出されるときに、流路筒内に空気を導入することができる。また、一部も屋外に突出させない構造としながらも、室内の空気を取り込んで、高膨張泡を生成することができる。
【００３８】
なお、発泡機を伸縮させない構成とした場合は、設置面は天井面に限らず壁面でもよい。
【００３９】
実施の形態３．
実施の形態２では、固定金具に垂直部を設け、伸縮体の基端開口を、天井面から離間させて伸縮体の基端開口と天井面Ｒの間に空気流入口を形成したが、本実施の形態は、基端開口の縁辺部を線状体を介して天井面に固定して、天井面から離間させて伸縮体の基端開口と天井面の間に空気流入口を形成したものである。
【００４０】
図７はこの発明の実施形態３を示す高膨張泡消火設備の平常時の状態を示す断面構成図、図８は高膨張泡消火設備の火災時の状態を示す断面構成図である。
本実施の形態の構成は、実施の形態１で示した伸縮体５を天井面Ｒに固定せずに、実施の形態２で示した伸縮体を線状体を介して天井に固定したものであり、他の構成は実施の形態１と同じである。
【００４１】
図７、８において、実施の形態１の図１及び実施の形態２の図４と同一または相当部分には同一の符号を付し説明を省略する。
伸縮体３５の基端開口３５ａの対向する一対の縁辺部３５ｃと一対の縁辺部３５ｄは線状体４１を介して天井面Ｒに接続される。線状体４１は、図８に示すように、火災時に、伸縮体３５が下に下がったときに、伸縮体３５の基端開口３５ａが発泡用ノズル４の先端と同じ位の位置になるような長さに設定されている。これによって、天井面Ｒから離間して伸縮体３５が吊り下げられ、伸縮体３５の基端開口３５ａと天井面Ｒの間に空気流入口４３ｂを形成するようにしている。
【００４２】
また、平常時は、図７に示すように、感熱板１２の水平固定部１２ａを固定金具１１に低融点合金１０で取付け、垂直取付部１２ｄに伸縮体３５の先端開口３５ｂの少なくとも対向する一対の縁辺部３５ｄが取付けられて、伸縮体３５を短縮状態に保持しているが、このとき、基端開口３５ａが天井面Ｒから所定の間隔で離間して、伸縮体３５の基端開口３５ａと天井面Ｒの間に空気流入口４３ａが形成される。つまり、空気流入口４３ａの高さ（長さ）は、天井面Ｒから感熱板１２の下端部までの長さと短縮状態の伸縮体３５の長さとの差分によって設定されている。なお、ず７、８に示すように、空気流入口４３ａを形成するために、伸縮体３５の基端開口３５ａが当接するストッパ４２を天井面Ｒに設けてもよい。
【００４３】
次に、この発明の実施形態３を示す高膨張泡消火設備の動作を説明する。
平常時は、図７に示すように、感熱板１２の水平固定部１２ａを固定金具１１に低融点合金１０で取付け、垂直取付部１２ｄに伸縮体３５の先端開口３５ｂの対向する少なくとも一対の縁辺部３５ｄが取付けられて、伸縮体３５を短縮状態に保持する。
このとき、線状体４１により伸縮体３５が吊り下げられてなく、線状体４１は緩んだ状態となっている。そして、基端開口３５ａが天井面Ｒから所定の間隔で離間して、伸縮体３５の基端開口３５ａと天井面Ｒの間に空気流入口４３ａが形成されている。
【００４４】
そして、火災が発生すると、火災の発生による熱で、感熱板１２の温度が上昇する。そして、低融点合金１０が融解して感熱板１２が固定金具１１から外れて図８に示すように伸縮体５が自動的に伸長するとともに、線状体４１の伸長により伸縮体３５が吊り下げられ、伸縮体３５の基端開口３５ａと天井面Ｒの間に空気流入口４３ｂが形成される。
また、発泡用ノズル４のグラスバルブ２５が、熱により破断して放水口２１が開放され、泡水溶液配管３に充水加圧されていた泡水溶液が放出される。このとき、空気流入口４３ｂから空気が流入し、泡水溶液と空気が混合して発泡用網６で多量の高膨張泡が生成され、この高膨張泡が放射される。そして、放射された高膨張泡が火源を覆い火災が消火される。
【００４５】
以上のように、伸縮体３５の基端開口３５ａの縁辺部３５ｃを線状体４１を介して天井面Ｒに固定して、基端開口３５ａを天井面Ｒから離間させて伸縮体３５の基端開口３５ａと天井面Ｒの間に空気流入口３３ｂを形成したので、簡単な構成により、閉鎖型の発泡用ノズルが火災熱を受熱でき、また、これによって、泡水溶液が放出されるときに、流路筒内に空気を導入することができる。また、一部も屋外に突出させない構造としながらも、室内の空気を取り込んで、高膨張泡を生成することができる。
【００４６】
なお、本実施形態では、発泡機１を伸縮させない構成とした場合であっても、設置面は天井面Ｒに限定される。
また、前記全ての実施の形態において、泡水溶液供給源として、予め泡水溶液が貯蓄されているタンク２で構成したが、水供給源と泡原液タンクとそれらを混合して泡水溶液を生成する混合器とで構成してもよい。
また、伸縮体５は断面矩形としたが、断面円形でもよい。
また、この発明の高膨張泡消火設備は、火災熱を受ける必要があるため、特に比較的小さな空間の倉庫等に適している。
【図面の簡単な説明】
【００４７】
【図１】この発明の実施形態１を示す高膨張泡消火設備の平常時の状態を示す断面構成図である。
【図２】この発明の実施形態１を示す高膨張泡消火設備の火災時の状態を示す断面構成図である。
【図３】この発明の実施形態１を示す高膨張泡消火設備のノズルの断面図である。
【図４】この発明の実施形態２を示す高膨張泡消火設備の平常時の状態を示す断面構成図である。
【図５】この発明の実施形態２を示す高膨張泡消火設備の火災時の状態を示す断面構成図である。
【図６】この発明の実施形態２を示す高膨張泡消火設備の火災時の状態を示す上面図である。
【図７】この発明の実施形態３を示す高膨張泡消火設備の平常時の状態を示す断面構成図である。
【図８】この発明の実施形態３を示す高膨張泡消火設備の火災時の状態を示す断面構成図である。
【符号の説明】
【００４８】
１  発泡機、４  発泡用ノズル、５、３５  伸縮体、５ａ、３５ａ  基端開口、５ｂ、３５ｂ  先端開口、６  発泡用網、８  開口部、９、３３、３３ａ、３３ｂ、４３ａ、４３ｂ  空気流入口、１０  低融点合金、１１、３１  固定金具、１２、３２  感熱板、３１ｂ  垂直部、４１  線状体、Ｒ  天井面。
【図１】
0004980279.tif 000002
【図２】
0004980279.tif 000003
【図３】
0004980279.tif 000004
【図４】
0004980279.tif 000005
【図５】
0004980279.tif 000006
【図６】
0004980279.tif 000007
【図７】
0004980279.tif 000008
【図８】
0004980279.tif 000009